(57)【要約】【課題】  機器とプリンタとの間に介在してプリンタ側の状態を確認することにより機器側の動作を制御することができる中継器を提供する。【解決手段】  中継器１のマイコン１０がＩｒＤＡユニット１６にプリンタ３との間でネゴシエーションを行わせる。プリンタ３側のマイコン３００は、プリントデータ補正スイッチ３３の設定状態を機器名に対応させてネゴシエーションが開始されたらその機器名を中継器１に取得させる。中継器１のマイコン１０はプリンタから取得した機器名に基づいてプリンタの種別に応じた画像処理を行うとともにプリントデータ補正スイッチの設定状態に応じてプリンタが稼動している間、機器に対しての新たな画像データの送信の要求を行わない。【選択図】  図３
2006079425.tif 000002
【特許請求の範囲】
【請求項１】
画像データを送信する機器との間で通信を行なう第１の通信部と、赤外線通信により画像データを受信してプリントするプリンタとの間で赤外線通信を行なう第２の通信部とを備え、前記機器から画像データを受信して前記プリンタに画像データを送信する中継器において、
前記プリンタが該プリンタでの画像処理モードの設定が自在なものであって、
この中継器が、
前記プリンタとの間の赤外線通信により該プリンタの画像処理モードの設定状態を認識するプリンタ認識部を有し、
前記プリンタ認識部で認識した、プリンタの画像処理モードの設定状態に応じて画像送信方法を変化させることを特徴とする中継器。
【請求項２】
この中継器も該中継器での画像処理モードの設定が自在なものであって、
この中継器が、さらに、
この中継器に設定されている画像処理モードに応じた画像処理を行なう画像処理部を備え、
前記第２の通信部は、この中継器の画像処理モードの設定状態と前記画像データを送信するものであることを特徴とする請求項１記載の中継器。
【請求項３】
前記プリンタ認識部は、プリンタとの通信により該プリンタの画像処理モードの設定状態を認識するとともに、さらに該プリンタの種別を認識するものであって、
前記画像処理部は、さらに、前記機器から受け取った画像データに、前記プリンタ認識部で認識したプリンタの種別に応じた画像処理を施すものであることを特徴とする請求項１又は２記載の中継器。
【発明の詳細な説明】
【技術分野】
【０００１】
本発明は、画像データを有する機器との間で通信を行なう第１の通信部と、赤外線通信により画像データを受信してプリントするプリンタとの間で赤外線通信を行なう第２の通信部とを備え、機器から画像データを受信してプリンタに画像データを送信する中継器に関する。
【背景技術】
【０００２】
無線通信装置を用いて機器からプリンタに画像データを無線で送信してプリンタに画像をプリントさせるものが数多く提案されている（例えば特許文献１、特許文献２参照）。このように無線でプリンタにプリントを行わせることができるようになると、ケーブルなどが必要なくなって使いやすいプリンタが実現される。
【０００３】
ところで、プリンタに向けて画像データを送信することができる機器としてパーソナルコンピュータ、デジタルカメラ、ビデオカメラなど様々なものがあり、今後も画像データが扱える様々な携帯機器が提案されるものと思われる。これらすべての機器に無線通信装置を配備しても良いが、いずれの機器にも装着することができる中継器を製作しておいて、その中継器からプリンタへ向けて画像データを無線で送信することができるようにしておくと非常に便利である。
【０００４】
このような中継器を製作するにあたっては、プリンタの稼動状態を監視して機器側から送信されてくる画像データの送信タイミングを制御するような機能を持たせる必要が出てくる。さもないと、プリンタ側の処理が終了していないにも拘わらず、機器側から送信されてきた画像データをプリンタへ供給してしまうような事態が発生してしまう。このような事態が発生するとプリンタが処理不能状態に陥ることがある。
【特許文献１】特開２００１−２５３１２３号公報
【特許文献２】特開平１０−２５５１９０号公報
【発明の開示】
【発明が解決しようとする課題】
【０００５】
本発明は、上記事情に鑑み、機器とプリンタとの間に介在してプリンタの稼動状態を把握し、機器側から送信されてくる画像データの送信タイミングを制御することができる中継器を提供することを目的とする。
【課題を解決するための手段】
【０００６】
上記目的を達成する本発明の中継器は、画像データを送信する機器との間で通信を行なう第１の通信部と、赤外線通信により画像データを受信してプリントするプリンタとの間で赤外線通信を行なう第２の通信部とを備え、上記機器から画像データを受信して上記プリンタに画像データを送信する中継器において、
上記プリンタがそのプリンタでの画像処理モードの設定が自在なものであって、
この中継器が、
上記プリンタとの間の赤外線通信によりそのプリンタの画像処理モードの設定状態を認識するプリンタ認識部を有し、
上記プリンタ認識部で認識した、プリンタの画像処理モードの設定状態に応じて画像送信方法を変化させることを特徴とする。
【０００７】
上記本発明の中継器によれば、上記第２の通信部の赤外線通信により上記プリンタの画像処理モードの設定状態が上記プリンタ認識部に認識されその認識された画像処理モードの設定状態に応じて画像送信方法を変化させる。
【０００８】
上記画像送信方法を変化させる一例として画像データをプリンタに送信した後、画像処理モードの設定状態に応じて次の画像データをプリンタへ送るまでの時間を変化させることが考えられる。このようにするとこの中継器からプリンタへ連続的に画像データがされた場合に前回の画像データの処理中に今回の画像データがプリンタで受信されプリンタが処理不能状態に陥るといったことが防止される。
【０００９】
つまり上記プリンタ認識部によりプリンタの画像処理モードの設定状態が認識されデータの送信タイミングが制御される中継器が実現される。
【００１０】
この中継器もその中継器での画像処理モードの設定が自在なものであって、
この中継器が、さらに、
この中継器に設定されている画像処理モードに応じた画像処理を行なう画像処理部を備え、
上記第２の通信部は、この中継器の画像処理モードの設定状態とその画像データを送信するものであることが好ましい。
【００１１】
このようにこの中継器も上記画像処理モードの設定が自在であると、この中継器と上記プリンタとの双方の画像処理モードの設定がオン状態になってしまうことがある。
【００１２】
そこで本発明の中継器では、上記画像データを送るという画像送信方法を、画像処理モードの設定状態とその画像データとの双方を上記プリンタへ送信するという画像送信方法に変化させている。そうすると、その設定状態と画像データとの双方の送信を受けて、上記プリンタは、中継器側の画像処理モードの設定状態を考慮した画像処理を画像データに施すことができる。
【００１３】
その結果、中継器とプリンタとの双方で２重に画像処理を施してしまうようなことが防止される。
【００１４】
さらに上記プリンタ認識部は、上記プリンタとの通信によりそのプリンタの画像処理モードの設定状態を認識するとともに、さらにそのプリンタの種別を認識するものであって、
上記画像処理部は、さらに、上記機器から受け取った画像データに、上記プリンタ認識部で認識したプリンタの種別に応じた画像処理を施すものであることが好ましい。
【００１５】
このように上記画像処理部が、上記プリンタ認識部で認識したプリンタの種別に応じて画像処理を施すものであると、プリンタが持つ色味等プリンタの‘くせ’にあった画像処理を中継器側で施してからプリンタに送信することができるようになる。そうするとその送信されてきた画像データをプリンタで受信することにより、プリンタは、自分の色味等の‘くせ’が是正された高画質のプリントを行なうことができる。
【発明の効果】
【００１６】
以上、説明したように、機器とプリンタとの間に介在してプリンタの稼動状態を把握し、機器側から送信されてくる画像データの送信タイミングを制御することができる中継器が実現される。
【発明を実施するための最良の形態】
【００１７】
以下、本発明の実施の形態について説明する。
【００１８】
図１は、本発明の第１の実施形態である中継器を示す図である。
【００１９】
図１にはプリンタ３と機器の一例であるデジタルカメラ２との間に本発明の中継器１が配置された状態が示されている。
【００２０】
図１に示すように、デジタルカメラ２が備えるＵＳＢコネクタ部２００と中継器１が備えるＵＳＢコネクタ部１００とにＵＳＢケーブル１２０の両端のコネクタ１２１，１２２が嵌合され、さらに、中継器１が持つＩｒＤＡ（Ｉｎｆｒａｒｅｄ  Ｄａｔａ  Ａｓｓｏｃｉａｔｉｏｎ）ユニットの投受光部１ａと、プリンタ３が備えるＩｒＤＡユニットの投受光部３ａとが対向するようにして配置されている。このプリンタ３は、１０枚組みのインスタントフィルムシートパックがプリンタ内に装填されそのフィルムシート一枚一枚に画像データに基づく画像が焼き付られてプリント出力されるものである。
【００２１】
図１に示すプリンタ３の上面部には、電源スイッチ３１が在り、この電源スイッチ３１が操作されオン状態になるとプリンタ３が動作状態になる。その動作状態にあるときにこのプリンタ３にデジタルカメラ２側から画像データが送信されてくるとその画像データに基づく画像のプリントがインスタントフィルムシート上に行われてプリンタ３から排出されるようになっている。またインスタントフィルムシートが排出された後、プリンタ３上面にある再プリントスイッチ３２がすぐに操作されると、焼き増しが行なえるような構成にもなっている。またこのプリンタの上面には、ユーザがプリント時に画像の濃淡を調節することができるようにプリンタ内に画像処理モードを設定するプリントデータ補正スイッチ３３が配備されている。上記動作状態にあるときにそのプリントデータ補正スイッチ３３が操作されると、デジタルカメラ側から中継器１を介して送信されてきた画像データにプリンタ内の画像処理部で輝度の補正が行われ、その輝度補正された画像が焼き付けられたインスタントフィルムシートがプリンタ外部へと排出される。そのプリントデータ補正スイッチ３２が操作されずにオフ状態にあるときには、デジタルカメラ側から送信されてきた画像データに画像処理部で何も補正も行なわれずにその画像データに基づく画像が焼き付けられたインスタントフィルムシートがプリンタ外部へと排出される。
【００２２】
図２は、中継器１の内部構成を示す図である。
【００２３】
図２には、中継器１の内部構成のほか、プリンタ３の内部構成も示されている。
【００２４】
図２に示す中継器１は、ＣＰＵ１１とＲＯＭ１２とＲＡＭ１３とからなるマイクロコンピュータ（以下、マイコンという）１０を備えており、そのマイコン１０が、ＵＳＢユニット１４を介してデジタルカメラ２からのプリント指示を受け取ったらＵＳＢユニット１４を受信状態に切り替えてデジタルカメラ２からの画像データの受信をＵＳＢユニット１４に行わせている。このＵＳＢユニット１４に画像データの受信を行わせたら、マイコン１０はＵＳＢユニット１４内のメモリに記憶されている画像データを画像処理部１５に供給する。そうしたら画像処理部１５によって、プリンタの種別に応じた画像処理が行われる。このＵＳＢユニット１４が本発明にいう第１の通信部にあたる。
【００２５】
本実施形態では、上記画像処理部１５にプリンタの種別に応じた画像処理を行うにあたって、中継器１が備えるマイコン１０がＩｒＤＡユニット１６に指示してプリンタ３のＩｒＤＡユニット３０１との間で赤外線通信によるネゴシエーションを行わせることによりプリンタ３の種別やプリンタ側のプリントデータ補正スイッチ３３の設定状態を取得するようにしている。この取得した種別に応じたパラメータが画像処理部１５に設定されると種別に応じた画像処理が画像処理部１５で行なわれる。上記ＩｒＤＡユニット１６が本発明にいう第２の通信部にあたる。
【００２６】
また中継器１内のマイコンがＩｒＤＡユニットを用いてプリンタ３との間でネゴシエーションを行なうことによりプリンタの種別やプリントデータ補正スイッチ３３の設定状態を取得したら、そのプリントデータ補正スイッチ３３の設定状態に応じてプリンタ３でのプリント出力に要する時間を換算してその時間分、ＵＳＢユニット１４を動作させずに待機させたり、プリンタ３の種別に応じた画像処理（例えばプリンタの画像変換部が持つ色味等の‘くせ’にあう処理）が行なえるように画像処理部にパラメータの設定を行ったりする。このようにして画像処理部１５にプリンタの種別に応じたパラメータが設定されて画像処理が施された画像データがＩｒＤＡユニット１４の投光部１ａから赤外線通信によりプリンタ３へ向けて送信されると、プリンタ側でその画像データに基づく画像が焼付けられたインスタントフィルムシートが排出される。このインスタントフィルムシートがプリンタから外部へと完全に排出されるまでの間は次の画像データの処理を行なうことができないのでその間は、機器側に向けて次の画像信号の送信要求をＵＳＢユニットにより送信することを行わない。
【００２７】
この赤外線通信により送信されてきた画像データが、プリンタ側の、受光部を含むＩｒＤＡユニット３０１で受信されたら、その画像データが画像処理部３０２に供給され、画像処理部３０２でプリントデータ補正スイッチ３３の設定状態に応じた画像処理が行われ、その画像処理された画像データがプリントデータ生成部３０３に供給される。このプリントデータ生成部３０３でプリントデータが生成されそのプリントデータに基づいて露光ヘッド３０４が駆動されインスタントフィルム３０上に潜像が形成される。その潜像が形成されたインスタントフィルム３０が駆動部（展開部）３０５により駆動されプリンタ外部へと排出される。なお、このプリンタでは、プリンタ外部へ排出されているときにインスタントフィルム３０に内填されている自己現像液がインスタントフィルム３０上全体に亘って展開されるようなインスタントフィルムシート３０が用いられている。
【００２８】
ここで図３を参照してデジタルカメラ２のプリント指示に応じて、中継器１がＩｒＤＡユニット１６を用いてプリンタ３との間でネゴシエーションを行う前後において双方のマイコン１０，３００がどのような制御を行うかを説明する。
【００２９】
図３は、中継器１、プリンタ３それぞれが有するマイコン１０，３００がネゴシエーションを行う前後に行う制御の内容を説明する図である。
【００３０】
図３には中継器１とプリンタ３との双方のマイコン１０，３００の処理が混在して記載されているので、中継器１側のマイコン１０の処理ステップにはＭの添え字を付加し、プリンタ３側のマイコンの処理ステップにはＰの添え字を付加して以降説明する。Ｍの添え字が付加されていれば中継器側のマイコンの処理であり、Ｐの添え字が付加されていればプリンタ３側のマイコンの処理である。
【００３１】
デジタルカメラ２側からプリントの指示が中継器１にＵＳＢケーブル１２０を介して送られてきたときに図３の一連の処理が開始される。
【００３２】
まず、デジタルカメラ２からプリントの指示がＵＳＢケーブル１２０を介して中継器１に伝えられてきたら、中継器１側のマイコン１０がＵＳＢユニット１４を介してそのプリントの指示を受け取り、ステップＳ３０１ＭでＵＳＢユニット１４に指示を出してＵＳＢユニット１４を制御して画像データの受信を行わせる。
【００３３】
そのＵＳＢユニット１４にデジタルカメラ２からの画像データの受信を行わせたら、今度はステップＳ３０２ＭでＩｒＤＡユニット１６に指示を出してＩｒＤＡユニット１６にプリンタ３側のＩｒＤＡユニット３０１との間でネゴシエーションを行わせる
ここまでがデジタルカメラ２からプリント指示が行われたときに中継器１側のマイコン１０が行う処理である。
【００３４】
上記ステップＳ３０２Ｍでのネゴシエーション（交渉）はプリンタとの間で行われるので、ここでこのネゴシエーションが行われる前のプリンタ側のマイコン３００の処理を説明しておく。
【００３５】
プリンタ側のマイコン３００は、まずステップＳ３０１ＰでＩｒＤＡユニット３０１を接続待ち状態にしていつでも中継器１からの画像データを受信することができるようにする。
【００３６】
次のステップＳ３０２Ｐへ進んでプリンタ３のプリントデータ補正スイッチ３３の設定状態を検出することにより画像処理モードがオン状態にあるか、オフ状態にあるかを判定する。このステップＳ３０２Ｐでプリントデータ補正スイッチ３３が操作されその状態がオン状態になっていると判定したら ステップＳ３０３Ｐへ進みステップＳ３０３Ｐで“ＰＲＮ＿Ｂ”という機器名をそのオン状態を示す変数として割り当て、ステップＳ３０２Ｐでオフ状態になっていると判定したら、ステップＳ３０４Ｐへ進み、“ＰＲＮ＿Ａ”という機器名をそのオフ状態を示す変数として割り当てる。こうしてプリンタ側のマイコン３００がプリンタのプリントデータ補正スイッチ３３の設定状態に応じて機器名の割り当てを行う処理が終了したら、次のステップＳ３０５Ｐへ進んてＩｒＤＡユニット３０１に指示を出してネゴシエーションを行わせるようにしている。
【００３７】
このようにしておくとネゴシエーションによりプリンタ３側のプリントデータ補正スイッチ３３の設定状態を機器名として中継器１に取得させることができる。例えば、ＰＲＮ＿Ｂという機器名を中継器側で取得させると中継器１側のマイコン１０がその機器名からプリンタ３側のプリントデータ補正スイッチ３３の設定状態はもとより、プリンタ３側の種別をも認識することができるようになる。
【００３８】
そうしたら、次のステップＳ３０３Ｍへ進んでステップＳ３０３ＭでそのＰＲＮ＿Ｂという機器名に基づきプリンタの種別に応じた適切な形にデータ変換し、次のステップＳ３０４Ｍでプリンタ３へ向けて画像データを送信する。
【００３９】
これを受けてプリンタ３側のマイコン３００は、ステップＳ３０６ＰでＩｒＤＡユニット３０１に画像データを受信させ、その受信させた画像データを画像処理部３０２に転送させる。そして次のステップ３０７Ｐで、画像データの受信完了を検知したら、中継器１側に画像データ受信完了通知（例えばＥＯＦ）を通知して、ＩｒＤＡユニット３０１の電源を切断する。さらに中継器側１でもステップＳ３０５ＭでＩｒＤＡユニット１６の電源を切断する処理が行なわれたら、中継器１とプリンタ３との双方の機器が分断されて双方のマイコン１０，３００とも独立して中継器内、プリンタ内各部の制御をそれぞれ行うこととなる。
【００４０】
ここでプリンタ３側のマイコン３００が行う制御の内容を先に説明する。
【００４１】
ステップＳ３０８Ｐで、画像処理モードがオン状態（以下ＯＮ）にあるかオフ状態（以下ＯＦＦ）にあるかを判定し、ＯＦＦであったらステップＳ３１０Ｐへジャンプしてプリントを開始してステップ３１１Ｐでプリント完了を検知したら、ステップＳ３１２Ｐで赤外線通信を接続待ち状態に遷移させてこのフローの処理を終了する。
【００４２】
またステップＳ３０８Ｐで、ＯＮであったら次のステップＳ３０９Ｐへ進み画像全体の輝度（Ｙ）が明るくなるように画像処理（輝度補正）を行なってステップＳ３１０Ｐへ進んでプリント出力を開始する。さらに次のステップＳ３１１Ｐでプリント完了を検知したら次のステップＳ３１２Ｐで赤外線通信接続待ち状態にＩｒＤＡユニットを遷移させてこのフローの処理を終了する。
【００４３】
一方中継器側では、ステップＳ３０５ＭでＩｒＤＡユニットの電源を切断した後、ステップＳ３０６Ｍでまずプリントする画像の次の指示がデジタルカメラ側から送られてきているどうかを例えばＵＳＢユニット１４内のレジスタの内容により判定する。ここで指示が送られてきていないと判定したら、ステップＳ３０７Ｍへ進みＵＳＢユニット１４を待機状態に遷移させる。
【００４４】
ステップＳ３０６Ｍでプリントする指示が送られてきていると判定したら、ＹＥＳ側に進み、ステップＳ３０８Ｍでプリンタ機器名がＰＲＮ＿Ｂであるか、ＰＲＮ＿Ａであるかを判定する。このステップでＰＲＮ＿Ｂであると判定したらステップＳ３０９Ｍへ進んで４０秒間の待機処理を行って次のステップ３１０Ｍへ進む。ステップ３１０Ｍで次画像送信の送信要求をＵＳＢユニット１４を用いてデジタルカメラ２に向けて送信してこのフローの処理を終了する。
【００４５】
もしもステップＳ３０８ＭでＰＲＮ＿Ｂ以外であると判定したら２０秒間の待機処理を行ってステップＳ３１１ＭでＵＳＢを用いて次画像送信の要求をデジタルカメラ２に送信してこのフローの処理を終了する。
【００４６】
なお、図３のステップＳ３０８ＭでＰＲＮ＿Ｂ以外としてあるのは、もしも全く種別の異なるプリンタがセットされていた場合には、ＰＲＮ＿Ｂ以外の機器名が割り当てられて中継器に取得される可能性があるからである。
【００４７】
このように中継器１にプリンタ３との間でネゴシエーションを行わせることにより、中継器１のマイコン１０にプリンタ３の状態を把握させておいて、デジタルカメラ２から次のプリント指示が送信されてきたときにまだプリンタ３がプリント出力処理を継続中である場合には、マイコン１０は、送信要求をＵＳＢユニット１４を用いて機器側に送らずにＵＳＢユニットを動作させずに待機させたままにしておくことができるようになる。
【００４８】
以上説明したように機器とプリンタとの間に介在してプリンタ側の状態を把握することにより機器からの画像データの送信タイミングを制御することができる中継器が実現される。
【００４９】
図４は、本発明の第２の実施形態である中継器を示す図である。
【００５０】
図１と同様のものであるが、中継器１Ａにもプリンタと同様のプリントデータ補正スイッチ１１０Ａが配備されている。
【００５１】
このプリントデータ補正スイッチ１１０Ａはプリンタのプリントデータ補正スイッチ３３と同様のものであり、双方のスイッチが操作された状態のまま、デジタルカメラ２からのプリント指示に応じて中継器１Ａを介してプリンタ３に画像データが送信されてしまうと、中継器１Ａ側で濃淡に関する処理が行なわれた後、さらにプリンタ３側でも濃淡に関する処理が施されて２重の処理が施されてしまう危険性がある。
【００５２】
そこで、本実施形態では前述したネゴシエーションを用いて中継器１Ａとプリンタ３との双方のうちのいずれか一方のプリントデータ補正スイッチの設定状態が反映されるように改良している。
【００５３】
図５は、図４に示した中継器１Ａの内部構成を示す図であり、図６は中継器１、プリンタ３それぞれが有するマイコン１０，３００がネゴシエーションを行う前後に行う制御の内容を説明する図である。
【００５４】
中継器１Ａは、プリントデータ補正スイッチ１１０Ａが付加されている以外、図３のものと同様のものである。また、中継器１Ａ側にプリントデータ補正スイッチ１１０を設けたので、プリンタ側のプリンタデータ補正スイッチ３３のオン状態をＰＲＮ＿Ｂ，オフ状態をＰＲＮ＿Ａと割り当てたのと同様に、中継器側のプリンタデータ補正スイッチのオン状態をＡＤＰ＿Ａ、オフ状態をＡＤＰ＿Ｂという機器名に割り当ててプリンタ３に中継器１側の設定状態を通知するようにしている以外、図３の処理と同様の処理を行なっている。
【００５５】
まず、ステップＳ６０１Ｍで中継器１のプリントデータ補正スイッチ３３の操作状態を検出することにより画像処理モードがオン状態にあるか、オフ状態にあるかを判定する。このステップＳ６０１Ｍでプリントデータ補正スイッチ３３が操作され画像処理モードががオン状態になっていると判定したら ステップＳ６０２Ｍへ進み“ＡＤＰ＿Ｂ’”という機器名をそのオン状態を示す変数として割り当て、ステップＳ６０１Ｍでオフ状態になっていると判定したら、ステップＳ６０３Ｍへ進み、“ＡＤＰ＿Ａ”という機器名をそのオフ状態を示す変数として割り当てる。こうして中継器側のマイコン１０がプリントデータ補正スイッチ１１０Ａの設定状態に応じて機器名の割り当てを行う処理が終了したら、次のステップＳ６０４Ｍへ進んてＵＳＢユニット１４に指示を出して画像データの受信を行わせるようにしている。そして画像データの受信が終了したら、ＩｒＤＡユニットに指示を出してＩｒＤＡユニットにプリンタのＩｒＤＡユニットとの間でネゴシエーションを行わせるようにしている。このネゴシエーションを行わせる前のプリンタ側のマイコンの処理は図３と同一である。
【００５６】
ステップＳ６０５ＭとステップＳ６０５Ｐとの双方のステップでネゴシエーションを行って双方の設定状態、ＰＲＮ＿Ｂであるか、ＰＲＮ＿Ａであるかが中継器で取得され、プリンタ側でＡＤＰ＿Ａであるか、ＡＤＰ＿Ｂであるか取得されたら、ネゴシエーションを終了する。
【００５７】
このネゴシエーション後の中継器側のマイコンの処理は図３と同一であるが、プリンタ側のネゴシエーション後については、中継器１側からプリントデータ補正スイッチ１１０Ａの設定状態を機器名ＡＤＰ＿Ａ、あるいはＡＤＰ＿Ｂのいずれかで取得しているので図３の処理とは若干異なる処理を行なっている。
【００５８】
ステップＳ６０８Ｐで中継器側のプリントデータ補正スイッチ１１０Ａの設定状態がオン状態にあるか、オフ状態にあるかを取得した機器名を用いて、＝ＡＤＰ＿Ｂであるか、それとも≠ＡＤＰ＿Ｂであるかにより判定する。ここで中継器側のプリントデータ補正スイッチがオン状態にあってＡＤＰ＿Ｂの機器名が取得されていると判定したらステップＳ６１１Ｐへジャンプしてプリントを開始する。
【００５９】
一方このステップＳ６０８Ｐで中継器側のプリントデータ補正スイッチがオフ状態にあってＡＤＰ＿Ａの機器名が取得されていると判定したら、次のステップＳ６０９Ｐへ進み、プリンタのプリント補正スイッチ３３の設定により画像処理モードがオフ状態にあるかオン状態にあるかを判定する。ここでプリンタ３のプリントデータ補正スイッチ３３が操作されておらずオフ（ＯＦＦ）状態にあると判定したら、ステップＳ６１１Ｐへ飛んでプリントを開始して次のステップＳ６１３ＰでＩｒＤＡユニットを接続待ち状態に遷移させてこのフローの処理を終了する。一方、ステップＳ６０９Ｐでプリントデータ補正スイッチが操作されオン（ＯＮ）状態にあると判定したらステップＳ６１０Ｐへ進み画像処理を行なってからステップＳ６１１Ｐへ進みプリントを開始する。
【００６０】
このようにしておくと、中継器１Ａ側のプリントデータ補正スイッチ１１０Ａが操作されオン状態にあるときにはプリンタ３側では画像処理が行なわれずに無条件にプリントされ、また中継器１Ａ側のプリントデータ補正スイッチ１１０Ａが操作されずにオフ状態にあるときには、プリント側のプリントデータ補正スイッチ３３の設定状態が反映されてプリントが行われる。その結果、中継器のプリントデータ補正スイッチとプリンタのプリントデータ補正スイッチとの双方がオン状態にあっても中継器とプリンタとの双方で同じ処理が重複して行なわれることが防止される。
【図面の簡単な説明】
【００６１】
【図１】本発明の第１の実施形態である中継器を示す図である。
【図２】中継器１の内部構成を示す図である。
【図３】中継器１、プリンタ３それぞれが有するマイコン１０，３００がネゴシエーションを行う前後に行う制御の内容を説明する図である。
【図４】本発明の第２の実施形態である中継器を示す図である。
【図５】図４に示す中継器１の内部構成を示す図である。
【図６】図４に示す中継器１、プリンタ３それぞれが有するマイコン１０，３００がネゴシエーションを行う前後に行う制御の内容を説明する図である。
【符号の説明】
【００６２】
１  １Ａ  中継器
１０  １０Ａ    マイコン
１４  １４Ａ    ＵＳＢユニット
１５  １５Ａ    画像処理部
１６  １６Ａ    ＩｒＤＡユニット
２    デジタルカメラ
３    プリンタ
３０    インスタントフィルムシート
３００    マイコン
３０１    ＩｒＤＡユニット
３０２    プリントデータ生成部
３０３    駆動部（展開部）
【図１】
2006079425.tif 000003
【図２】
2006079425.tif 000004
【図３】
2006079425.tif 000005
【図４】
2006079425.tif 000006
【図５】
2006079425.tif 000007
【図６】
2006079425.tif 000008